(57)【特許請求の範囲】
【請求項１】
容器本体に挿入され容器本体内の液を容器本体外に吸い出すポンプユニットにおいて、
容器本体内に挿入される吸い込みパイプと、この吸い込みパイプの上部に連通接続した延び方向に復帰可能な蛇腹状のベローズと、ベローズの上部に接続してベローズを伸縮させ、前記吸い込みパイプを介して容器本体内の液を容器本体外に吸い出すためのピストン部と、該ピストン部の下部及び前記ベローズを液密に収容し、かつ該ピストン部を、その下部を液密に収容した状態に保持しつつ摺動可能に内挿させるケースと、を備えてなり、
前記ベローズの上部あるいはその上部側に該ベローズ内と前記ケース内とを連通させる第１連通孔が設けられ、かつ前記ピストン部の下部に、前記ケース内と該ピストン部内とを連通させる第２連通孔が設けられ、
前記ピストン部は、前記ベローズの伸縮によって前記容器本体から前記吸い込みパイプ、前記ベローズ、前記第１連通孔を通って前記ベローズの外側の前記ケース内に流入し、さらに前記第２連通孔を通って前記ケース内から該ピストン部内に流入した前記容器本体内の液を、容器本体外に吸い出すよう構成されていることを特徴とするポンプユニット。
【請求項２】
前記ピストン部は、前記ベローズの上部に接続するパイプ状のシャフトケースと、このシャフトケースに対して一体に連結可能であり、かつ、連結状態が解除されることで前記シャフトケースに対して移動可能となるように挿通されたパイプ状のピストンシャフトと、このピストンシャフトに連通接続するピストンヘッドとを備え、前記シャフトケースに前記ピストンシャフトが一体に連結することで、該ピストン部の操作によって前記ベローズの伸縮が可能になるよう構成されてなり、
前記ピストン部には、前記シャフトケースと前記ピストンシャフトとの間の連結が解除され、前記シャフトケースに対して前記ピストンシャフトが移動させられて前記ベローズの圧縮をなさせることなく前記ピストンヘッドが容器本体側に被着させられた状態において、前記シャフトケースと前記ピストンシャフトとの間の相対的な移動を停止させる、固定機構が設けられていることを特徴とする請求項１記載のポンプユニット。
【請求項３】
前記請求項１又は２に記載のポンプユニットを備えたことを特徴とする容器。
【発明の詳細な説明】
【０００１】
【発明の属する技術分野】
この発明は、例えば、家庭で使用される洗髪剤等のポンプ式容器に用いられるポンプユニット及び容器に関するものである。
【０００２】
【従来の技術】
従来、例えば家庭で使用される洗髪剤や洗剤等を収容するための容器として、ポンプ式の容器が使用されている。このポンプ式の容器は、容器本体とこの容器本体に着脱可能に挿入されるポンプユニットとから構成されている。ポンプユニットは、通常ピストン部を押圧すると、ピストン部が復帰して液を容器本体から吸い上げ、次にピストン部を押すとピストン部の吐出口から液を出すようになっている。
【０００３】
この種のポンプユニットとしては、例えば、特開平１０−１０１１１５号公報、特開平１０−２１１９４７号公報に示されているように、ピストン部を押圧すると縮小するベローズ（蛇腹管）が手を離すと再び伸張する復帰動作を利用して液をベローズ内に吸い上げ、更にピストン部を押圧することでベローズを縮小させてベローズ内の液を吐出口から出すものがある。そして、このようなピストンの押圧動作、復帰動作に応じてベローズ内に液を導き、あるいはベローズ内から液を吐出するために、ベローズの上流側と下流側とには吸い込み弁と吐出弁とが設けられている。
【０００４】
【発明が解決しようとする課題】
ところで、前記従来のポンプユニットにおいては、一回のピストン部押圧動作による液の吐出量がベローズの中に流入する液の量によって決まるため、この吐出量を多くするにはベローズの径を太くして容積を増やす必要がある。
しかしながら、このようにベローズの径を太くすると、このベローズを収容しかつこれを支持してベローズに正常な伸縮動作をなさせるためのケースも、その外径が太くなってしまう。そして、このようにケースの外径が太くなると、このケースを含むポンプユニットの容器本体口部への取り付けに支障がでたり、ポンプユニットを容器本体口部に取り付けた状態で容器本体内に液を充填しようとした場合に、容器本体口部と前記ケースとの間の隙間が狭くなって充填しにくくなるといった生産上の不都合を生じてしまう。
なお、このような生産上の不都合を回避するため、容器本体の口部の開口径を広くするといったことも考えられるが、その場合には材料費が高くなり、コスト上昇を招いてしまう。
【０００５】
また、製品としての容器に関しては、これが転倒した場合に、吸い込み弁や吐出弁が開いてしまうと吐出口から液が外部に流れ出てしまうという問題がある。このような問題を解決するため従来では、特に移送時や保管時などの非使用時において、ピストン部を押し下げてベローズを圧縮し、その状態で梱包し保管するようにしている。
しかしながら、このようにピストン部を長時間押し下げ、ベローズを圧縮させた状態のままでいると、ベローズがへたってしまうことにより、使用時、ピストン部によるベローズの圧縮を解除しても、ベローズが充分に復帰せず、その結果液を充分吸い込むことができず、操作性が著しく低下してしまうといった不都合を生じてしまうことがある。
【０００６】
本発明は前記事情に鑑みてなされたもので、その目的とするところは、ケースの外径を太くすることなく一回のピストン部押圧動作による液の吐出量を十分多くすることができ、さらには移送時などの非使用時において液の流出を防止するとともにベローズの長期間に亘る圧縮に起因して操作性が低下するのを防止した、ポンプユニット及び容器を提供することにある。
【０００７】
【課題を解決するための手段】
本発明のポンプユニットでは、容器本体内に挿入される吸い込みパイプと、この吸い込みパイプの上部に連通接続した延び方向に復帰可能な蛇腹状のベローズと、ベローズの上部に接続してベローズを伸縮させ、前記吸い込みパイプを介して容器本体内の液を容器本体外に吸い出すピストン部と、該ピストン部の下部及び前記ベローズを液密に収容し、かつピストン部を摺動可能に内挿させるケースとを備えてなり、前記ベローズの上部あるいはその上部側に該ベローズ内とケース内とを連通させる第１連通孔が設けられ、かつ前記ピストン部に、ケース内と該ピストン部内とを連通させる第２連通孔が設けられたことを前記課題の解決手段とした。
【０００８】
このポンプユニットによれば、ベローズの上部あるいはその上部側に第１連通孔を設け、ピストン部に第２連通孔を設けたので、これら第１連通孔と第２連通孔とによってベローズとピストン部とがケース内を介して連通するようになる。したがって、ベローズに吸い込まれた液がベローズ内だけでなくその外のケース内にも溜められることになる。このようにしてケース内にも液を溜めた後、再度ピストン部を押圧すると、ベローズが圧縮されることによってベローズ内の液が押し出されるとともに、ピストン部によりケース内の液を溜めている部分の容積が狭められ、これによりベローズの内外の液が押し出される。
したがって、単にベローズの圧縮力だけで吐出する場合に比べ、ケース内の容積が狭められる分だけ液が多く吐出される。
【０００９】
また、このポンプユニットにおいては、前記ピストン部が、前記ベローズの上部に接続するパイプ状のシャフトケースと、このシャフトケースに対して移動可能に挿通するパイプ状のピストンシャフトと、このピストンシャフトに連通接続するピストンヘッドとを備えてなり、前記ピストン部に、ベローズの圧縮をなさせることなくピストンヘッドが容器本体側に被着する状態においてこれらシャフトケースとピストンシャフトとの間の相対的な移動を停止させる、固定機構が設けられているのが好ましい。
このようにすれば、固定機構によってシャフトケースとピストンシャフトとの間の相対的な移動が確実に停止し、ベローズの圧縮をなさせることなくピストンヘッドが容器本体側に被着するようになるので、容器本体内の液の流出が確実に防止され、またベローズの長期間に亘る圧縮に起因して操作性が低下するのも確実に防止される。
【００１０】
本発明の容器では、前記ポンプユニットを備えたことを前記課題の解決手段とした。
この容器によれば、前記ポンプユニットを備えたことにより、ベローズの外径を太くすることなく一回のピストン部押圧動作による液の吐出量を十分多くすることが可能になり、さらには液の流出が防止され、またベローズの長期間に亘る圧縮に起因して操作性が低下するのも防止されたものとなる。
【００１１】
【発明の実施の形態】
以下、本発明を詳しく説明する。
図１は、本発明のポンプユニットを備えた容器の一実施形態を示すものであり、図１中符号１０はポンプユニット、１１は容器である。容器１１は、液状の洗髪剤などが収容される容器本体１２に、ポンプユニット１０が取り付けられて構成されたものである。
【００１２】
容器本体１２は、合成樹脂で成形された有底筒状のもので、上部の口部１２ａの外周に雄ねじ部１３を形成したものである。口部１２ａには、雄ねじ部１３に螺合する雌ねじ部１４を備えた合成樹脂製のスクリューキャップ１５が着脱自在に被着されており、このスクリューキャップ１５が被着されることにより、ポンプユニット１０が容器本体１２に取り付けられるようになっている。すなわち、このスクリューキャップ１５には、その中央部に孔（図示せず）が形成されており、この孔内に合成樹脂からなるパイプ状のケース１６が挿通されたことにより、ポンプユニット１０がスクリューキャップ１５を介して容器本体１２に取り付けられている。なお、ケース１６にはその外周部にフランジ１６ａが形成されており、これがスクリューキャップ１５の内面（下面）に当接させられている。また、このフランジ１６ａの下面側にはパッキン１７が配設されており、このパッキン１７を介してスクリューキャップ１５の内面（下面）側と口部１２ａの上縁部とが、気密に圧接している。
【００１３】
また、ケース１６には、スクリューキャップ１５より上側に突出した部分にチャプレット１８が取り付けられている。このチャプレット１８は、ケース１６の外周部に嵌合する外筒部１８ａと、ケース１６の内部に挿通させられた内筒部１８ｂと、この内筒部１８ｂの直上部に形成された頂部１８ｃとを有してなるものである。そして、このチャプレット１８がケース１６の上端部に取り付けられ、これによりその外筒部１８ａと前記のケース１６のフランジ１６ａとでスクリューキャップ１５を挟持することにより、ケース１６はスクリューキャップ１５に固定されたものとなっている。
【００１４】
ポンプユニット１０は、前記ケース１６と、このケース１６内に挿通された状態で配置される合成樹脂製のベローズユニット１９と、このベローズユニット１９に接続されるシャフトケース２０、ピストンシャフト２１、及びピストンヘッド２２とを備えてなるものである。なお、シャフトケース２０とピストンシャフト２１とピストンヘッド２２とは、本発明におけるピストン部を構成するものとなっている。
ベローズユニット１９は、容器本体１２内に挿入されて容器本体１２内の液を容器本体１２外に吸い出すためのものである。このベローズユニット１９には、容器本体１２内に挿入される吸い込みパイプ２３が設けられている。この吸い込みパイプ２３は、その下端の吸い込み端２３ａが斜めにカットされて形成されたものである。
【００１５】
吸い込みパイプ２３の上端側には、ケース１６内にて延び方向に復帰可能な蛇腹状のベローズ２４が、該吸い込みパイプ２３に連通した状態で接続されている。このベローズ２４は、押圧されることによって容易に圧縮し、内部の容積を減少するとともに、押圧力が解除されると、元の状態すなわち延び方向に容易に復帰し、内部の容積を増加するよう構成された低密度ポリエチレン製のもので、所定のバネ定数を備えたものである。
【００１６】
また、ベローズ２４の上流側、すなわち吸い込みパイプ２３とベローズ２４との間には、容器本体１２からベローズ２４内への液の流入のみを許容する吸い込み弁２５が設けられている。吸い込み弁２５は、吸い込みパイプ２３に一体成形された弁室２６を備えて形成されたものである。
弁室２６内には、吸い込みパイプ２３の吸い込み端２３ａあるいはベローズ２４の上部開口側から挿入可能な弁体２７が挿入されている。この弁体２７は、下流側（ピストンシャフト２１側）に向かって開いたおわん型形状の合成樹脂製のもので、その外周面が弁室２６の内周面に密接することにより、液の逆流を防止するものである。なお、この弁体２７については、弁室２６を閉塞できるものであれば、球状や半球状等のものでもよく、その形状は特に限定されない。
また、弁体２７にはその上流側にロッド部２７ａが形成されており、このロッド部２７ａによって弁体２７はその姿勢が安定するようになっている。さらに、この弁体２７にはその周縁にＶ字状の切欠部２７ｂが形成されており、この切欠部２７ｂによって開弁時に液が速やかに抜け出、ベローズ２４側に流れるようになっている。
【００１７】
ベローズ２４には、その上端側に筒状の圧入部２４ａが形成されており、この圧入部２４ａには、合成樹脂製で有蓋円筒状のピストンベース２８が連通した状態に嵌合されている。このピストンベース２８には、ベローズ２４内とケース１６内とを連通させる第１連通孔２９が設けられている。この第１連通孔２９は、後述するように容器本体１２からベローズ２４内に吸い込まれた液を、一旦ベローズ２４の外に流出させるためのものである。なお、この第１連通孔２９としては、液の流動を妨げないものであればその形状や寸法は特に限定されることなく任意であり、またその個数についても任意である。
また、ベローズユニット１９は、前記の弁室２６を形成した箇所においてケース１６に液密に保持されている。すなわち、ケース１６の底面には孔（図示せず）が形成されており、この孔内にベローズユニット１９が圧入され、さらに必要に応じて接着あるいは溶着などの処理がなされることにより、ベローズユニット１９はケース１６の底面に液密に保持固定されたものとなっている。
【００１８】
前記ピストンベース２８は、ケース１６の内径よりも小径に形成されたもので、その下面側に前記圧入部２４ａに嵌合する孔（図示せず）を開口し、その外周部上部側にシャフトケース２０の下端に嵌合する環状の溝（図示せず）を形成したものである。
シャフトケース２０は、合成樹脂製でパイプ状のもので、その下端部がピストンベース２８に嵌合したことによってその下部開口が封止され、またその上端部がチャプレット１８の内筒１８ｂ内に挿通してこれに保持固定されたものである。このシャフトケース２０には、その下端部の内面に下雌ねじ部２０ａが形成されており、また上端部の内面にも上雌ねじ部２０ｂが形成されている。なお、これら下雌ねじ部２０ａ、上雌ねじ部２０ｂの間は、ねじが連続しない状態となっている。また、特に下雌ねじ部２０ａは、後述するピストンシャフト２１の雄ねじ部２１ａとともに、本発明における固定機構を構成するものとなっている。
【００１９】
また、このシャフトケース２０の下端部には、ケース１６内とシャフトケース２０内を連通させる第２連通孔３０が設けられている。この第２連通孔３０は、後述するようにベローズ２４内からその外に流出させられてケース１６内に溜められた液を、シャフトケース２０内に流入させるためのものである。なお、この第２連通孔３０についても、先の第１連通孔２９と同様に、液の流動を妨げないものであればその形状や寸法は特に限定されることなく任意であり、またその個数についても任意である。
【００２０】
また、このシャフトケース２０には、その外周部に該シャフトケース２０の長さ方向に沿って突条３１が形成されている。この突条３１は、図２に示すように、チャプレット１８の内筒１８ｂに形成された溝３２に嵌合したもので、後述するようにピストンヘッド２２を回した際、シャフトケース２０が連れ回りしないようにするための回り止めとして機能するものである。なお、突条３１は、溝３２の長さ方向に対しては移動可能となっており、したがって後述するピストンヘッド２２の押圧動作に伴うシャフトケース２０の昇降に関しては、これら突条３１と溝３２との嵌合に何等妨げられないようになっている。
また、このシャフトケース２０には、その外周部のほぼ中間部に、周方向に沿って突出部３３が形成されている。なお、この突出部３３は、前記突条３１に干渉しないよう該突条３１を避けて形成されていれば、全体が連続していても、断続的に形成されていてもよい。
【００２１】
また、シャフトケース２０の下端部には、その外周部に環状のピストンリング３４が装着されている。このピストンリング３４は、図３（ａ）に示すように前記突出部３３とピストンベース２８の周縁部２８ａとの間に配設されたもので、シャフトケース２０側に位置する内リング３４ａと、ケース１６側に位置する外リング３４ｂとが、それぞれの高さ方向における中心部において一体に連結してなるものである。内リング３４ａは、その上側がシャフトケース２０に対して容易に滑動するように接し、下側が上側に比べその肉厚が薄く形成され、これにより前記の第２連通孔３０を塞がないよう構成されたものである。外リング３４ｂは、ケース１６の内周面に対して十分液密性が確保されるように密着し、かつ摺動可能となるように形成されもので、これら液密性の確保と摺動とが良好となるよう、その上下がリップ部（図示せず）となるように形成されたものである。
【００２２】
ここで、図１及び図３（ａ）に示した通常時（ピストンヘッド２２を押圧しない状態）においては、前記突出部３３とピストンベース２８の周縁部２８ａとの間隔は、ピストンリング３４の内リング３４ａの高さよりも十分に広くなっている。また、この状態においては、ピストンリング３４はピストンベース２８の周縁部２８ａ上に圧接した状態となっている。このような構成のもとに第２連通孔３０は、ピストンリング３４の内リング３４ａで液密に塞がれた状態となっている。そして、このようにピストンリング３４とピストンベース２８とで第２連通孔３０を液密に塞ぎ、あるいは後述するようにこれを開放することにより、これらピストンリング３４とピストンベース２８とは、液を吐出するための吐出弁として機能するようになっている。
【００２３】
なお、ケース１６には、図１に示したようにピストンリング３４が最も上昇した位置より、上側に空気孔３５が形成されている。この空気孔３５は、容器本体１２内を、ケース１５とチャプレット１８の内筒部１８ｂとの間の間隙、及びケース１５とチャプレット１８の外筒部１８ａとの間の間隙を通じて外部に連通させ、これにより容器本体１２内の液容量の変化に対し、いわゆる「へこみ」が生ずるのを防止するものである。
また、ケース１６は、ピストンリング３４の移動範囲となる上部側が、ベローズ２４が収容される下部側に比べて大径になっている。
【００２４】
ピストンシャフト２１は、シャフトケース２０に連通し、かつこれに移動可能に内挿されたもので、その下端部には雄ねじ部２１ａが形成されている。この雄ねじ部２１ａは、シャフトケース２０に形成した下雌ねじ部２０ａ、及び上雌ねじ部２０ｂにそれぞれ螺合可能に形成されたものである。このような構成のもとにピストンシャフト２１は、その雄ねじ部２１ａがシャフトケース２０の下雌ねじ部２０ａに螺合する位置、及び上雌ねじ部２０ｂに螺合する位置にて、それぞれシャフトケース２０と一体に連結された状態となる。したがって、特に雄ねじ部２１ａが上雌ねじ部２０ｂに螺合した状態では、これらピストンシャフト２１及びシャフトケース２０はその軸方向（上下方向）に一体に移動するようになっている。
【００２５】
ここで、雄ねじ部２１ａは前述したように下雌ねじ部２０ａとともに本発明における固定機構を構成するものとなっている。すなわち、これらが螺着すると、当然ながらシャフトケース２０とピストンシャフト２１との間の相対的な移動が停止させられる（互いにその軸方向に作用する力に対して移動が停止させられている）が、その際、ベローズ２４は圧縮させられておらず、またその状態においてピストンヘッド２２はチャプレット１８（容器本体１２側）に被着するようになっている。
【００２６】
ピストンヘッド２２は、前記ピストンシャフト２１の上端部にこれと一体に連結したもので、ヘッド本体２２ａとピストンシャフト２１に連通する吐出管２２ｂとからなるものである。ヘッド本体２２ａは、前記のチャプレット１８の外筒部１８ａに嵌合してここに着脱自在に被着されるものである。吐出管２２ｂは、ピストンシャフト２１に連通したもので、その先端開口を吐出口とし、ここから容器本体１２内の液を吐出するものである。
【００２７】
次に、このような構成からなるポンプユニット１０を備えた容器１１の使用方法を説明する。
移送（輸送時）や保管時などの非使用時においては、図４に示すように予めピストンヘッド２２を押し下げた状態で回動し、ピストンシャフト２１の雄ねじ部２１ａをシャフトケース２０の下雌ねじ部２０ａに螺合しておく。すると、このような状態のもとでは、ピストンヘッド２２はチャプレット１８の外筒部１８ａに嵌合してこれに被着されるようになっており、したがってこの状態で梱包などが容易になされるようになっている。また、この状態では、ピストンヘッド２２が押圧されることがないため、内部の液が強制的に送り出されることがない。
【００２８】
また、ピストンシャフト２１はシャフトケース２０を押し下げることなく、これに収容された状態となっていることから、ベローズ２４は圧縮されることなく伸長した状態となっており、したがってベローズ２４は、長時間圧縮され続けることによるへたり等の不具合が生じないようになっている。
また、この状態ではピストンリング３４によって第２連通孔３０が塞がれていることから、ケース１６内及びベローズ２４側とシャフトケース２０側とは連通しておらず、したがって容器１１が不測に転倒した場合などでも、容器本体１２やベローズ２４内の液がシャフトケース２０を経て吐出管２２ｂより流れ出すといったことがない。
さらに、ピストンシャフト２１が外部に露出しないため、汚れから保護することができる。
【００２９】
次に、利用者が図４に示した状態にある容器１１を使用状態にするには、ピストンヘッド２２を回動してピストンシャフト２１の雄ねじ部２１ａとシャフトケース２０の下雌ねじ部２０ａとの螺合を解除し、続いてピストンヘッド２２を引き上げ、その後、再度ピストンヘッド２２を回動してピストンシャフト２１の雄ねじ部２１ａをシャフトケース２０の上雌ねじ部２０ｂに螺合させ、ピストンシャフト２１とシャフトケース２０とを一体化する。このようにすることにより、容器１１は図１に示したような使用状態となる。このとき、下雌ねじ部２０ａと上雌ねじ部２０ｂとが連続しておらず、したがってピストンヘッド２２を一旦引き上げた後、再度螺合を行うようにするが、このように引き上げ操作を行うことで、特にシャフトケース２０の長さが長い場合に、螺合の操作に手間がかかってしまうといった操作上の不都合を回避することができる。なお、上雌ねじ部２０ｂへの雄ねじ部２１ａの螺合（係合）は、ピストンシャフト２１の回動によらずに、ピストンシャフト２１を無理矢理引き上げることによる無理嵌めで行ってもよい。
【００３０】
そして、この状態のもとでピストンヘッド２２を押圧すると、ピストンシャフト２１及びシャフトケース２０が一体化していることにより、シャフトケース２０が下降し、これにより該シャフトケース２０に接続するピストンベース２８に押圧されてベローズ２４が圧縮される。
また、このようにピストンヘッド２２を押圧すると、図３（ｂ）に示すようにシャフトケース２０及びピストンベース２８が下降することにより、これらはケース１６の内面に密着しているピストンリング３４に対して下方に位置ずれする。すると、ピストンリング３４の内リング３４ａの下端部とピストンベース２８の周縁部とが離間することにより、第２連通孔３０が開放され、これによりケース１６内とシャフトケース２０内とが連通するようになる。なお、シャフトケース２０には突出部３３が形成されていることから、第２連通孔３０が開放された後さらにピストンヘッド２２の押圧動作が続けられると、この突出部３３によってピストンリング３４の内リング３４ａがシャフトケース２０と一体的に押し下げられる。
【００３１】
このようにしてシャフトケース２０が押し下げられると、ベローズ２４内の空気は圧縮されるものの吸い込み弁２５は閉じるので、ベローズ２４内の空気は第１連通孔２９を通ってケース１６内に流入し、さらに第２連通孔３０を通ってシャフトケース２０内に流入し、ピストンシャフト２１の孔内、吐出管２２ｂを通って外に吐出される。
続いて、ピストンヘッド２２への押圧を解除すると、ベローズ２４が延び方向に復帰して図１に示した状態に戻ることにより、ベローズ２４内が負圧になる。また、このとき、ベローズ２４が延び方向に復帰するのに伴ってピストンベース２８が上昇し、これによりピストンリング３４もピストンベース２８に押し上げられる。すると、ピストンベース２８がピストンリング３４の内リング３４ａに再度密着することにより、第２連通孔３０は再度閉塞する。
【００３２】
このとき、ピストンリング３４は、その内リング３４ａがチャプレット１８の内筒部１８ｂの下端によってその上昇が必要以上に起こらないように規制されており、これによってピストンベース２８と内リング３４ａとの密着が、十分に確保されるようになっている。
また、このようにピストンリング３４及びピストンベース２８が上昇し、第２連通孔３０が閉塞することにより、ケース１６内でかつベローズ２４の外となる空間部からなる液溜め部１６ｂでも、その容積が増加することによりベローズ２４内と同様に負圧になる。
【００３３】
このようにして液溜め部１６ｂ及びベローズ２４内が負圧になると、吸い込み弁２５の弁体２７が上昇して吸い込み弁２５が開き、これにより容器本体１２から吸い込みパイプ２３を経てベローズ２４内に液が吸い込まれ、ベローズ２４内が液で満たされる。
続いて、この押圧動作を繰り返すと、吸い込み弁２５が閉じることにより、ベローズ２４内の液の容器本体１２側への逆流が阻止され、これによりベローズ２４内の液は液溜め部１６ｂに流出する。また、ベローズ２４内には新たに容器本体１２内から液が流入する。
【００３４】
この後、図５に示すように再度ピストンヘッド２２を押圧すると、吸い込み弁２５が閉じることにより、液溜め部１６ｂ内の液、及びベローズ２４内の液はいずれも容器本体１２側への逆流が阻止される。したがって、容器本体１２側への逆流が阻止された液溜め部１６ｂ内及びベローズ２４内の液は、ピストンシャフト２１の孔内、吐出管２２ｂを経て外に吐出される。このとき、ピストンヘッド２２の一回の押圧動作により、ベローズ２４内の液を押し出すと同時に、ピストンベース２８とピストンリング３４とでケース１６内の液溜め部１６ｂの容積をも狭めてこの液溜め部１６ｂ内の液も押し出すので、従来に比べ多量の液を吐出することができる。すなわち、単にベローズ２４の圧縮力だけで吐出する場合に比べ、液溜め部１６ｂの容積が狭められる分だけ液を多く吐出することができるのである。
【００３５】
続いて、ピストンヘッド２２への押圧を解除すると、前述したようにベローズ２４が復帰してベローズ２４内が負圧になると同時に、液溜め部１６ｂも負圧になることから、容器本体１２からベローズ２４内に、またベローズ２４内から液溜め部１６ｂにそれぞれ液が吸い込まれ、これら液溜め部１６ｂ内及びベローズ２４内はそれぞれ液で満たされるようになる。その際、ピストンベース２８がピストンリング３４の内リング３４ａに密着することにより、第２連通孔３０が閉塞されることから、ピストンヘッド２２側から容器本体１２内側に液が逆流することが防止されている。
なお、以上の操作において、容器本体１２内は空気孔３５を介して容器１１外に連通するようになっているので、容器本体１２内から液が吐出されると、その分の容積に対応する空気が外部から流入し、容器本体１２は「へこみ」が生ずることなくほぼ原型を維持するようになっている。
【００３６】
このようなポンプユニット１０及びこれを用いた容器１１にあっては、ベローズ２４の上部の圧入部２４ａに第１連通孔２９を設け、シャフトケース２０に第２連通孔３０を設けたので、これら第１連通孔２９と第２連通孔３０とによってベローズ２４とシャフトケース２０とがケース１６内の液溜め部１６ｂを介して連通するようになる。したがって、ベローズ２４に吸い込まれた液がベローズ２４内だけでなく液溜め部１６ｂにも溜められることになることから、ベローズ２４及び液溜め部１６ｂに液を溜めた後、ピストンヘッド２２を押圧すると、ベローズ２４を圧縮することによってベローズ２４内の液を押し出すと同時に液溜め部１６ｂの容積を狭めてこの液溜め部１６ｂの液も押し出すことができる。よって、単にベローズ２４の圧縮力だけで吐出する場合に比べ、液溜め部１６ｂの容積が狭められる分だけ液が多く吐出することができる。
【００３７】
また、ピストンシャフト２１の雄ねじ部２１ａとシャフトケース２０の下雌ねじ部２０ａとからなる固定機構により、シャフトケース２０とピストンシャフト２１との間の相対的な移動を確実に停止し、ベローズ２４の圧縮をなさせることなくピストンヘッド２２をチャプレット１８に被着させるようにしたので、容器本体１２内の液の流出を確実に防止し、かつベローズ２４の長期間に亘る圧縮に起因して操作性が低下するのを確実に防止することができる。
【００３８】
図６は、本発明のポンプユニットを備えた容器の他の実施形態を示すものであり、図１中符号４０はポンプユニット、４１は容器である。なお、図６に示したポンプユニット４０及び容器４１において、図１に示したポンプユニット１０及び容器１１と同一の構成要素には、同一の符号を付してその説明を省略する。これらポンプユニット４０及び容器４１が図１に示したポンプユニット１０及び容器１１と主に異なるところは、図１に示したポンプユニット１０では本発明の固定機構をピストンシャフト２１の雄ねじ部２１ａとシャフトケース２０の下雌ねじ部２０ａとによって構成したのに対し、この固定機構をピストンヘッド４２に形成した点である。
【００３９】
すなわち、このポンプユニット４０及び容器４１では、ピストンヘッド４２のヘッド本体４２ａの内周面に、本発明における固定機構として機能する雌ねじ部４３が形成されている。この雌ねじ部４３は、図７に示すようにチャプレット１８の外筒部１８ａの外周面に形成された雄ねじ部４４に螺合するものである。そして、このように雌ねじ部４３が雄ねじ部４４に螺合することにより、ピストンヘッド４２がチャプレット１８に被着され、これによりシャフトケース４５とピストンシャフト２１との間の相対的な移動が確実に停止し（互いにその軸方向に作用する力に対して移動が停止させられ）、またベローズ２４の圧縮が起こらないようになっている。
【００４０】
また、本例においては、シャフトケース４５に上雌ねじ部４３のみを形成し、下雌ねじ部は形成していない。なお、このように下雌ねじ部を形成しないことから、使用時におけるシャフトケース４５とピストンシャフト２１との連結手段としては、上雌ねじ部２０ｂとピストンシャフト２１の雄ねじ部２１ａとの螺合によることなく、それぞれに凸部や凹部（凸条や凹溝）などによる係合部を形成しておき、これら係合部を回動により、あるいは無理嵌めにより係合させ、これによりシャフトケース４５とピストンシャフト２１とを連結し一体化させるようにしてもよい。
【００４１】
このようなポンプユニット４０及びこれを用いた容器４１にあっても、チャプレット１８の雄ねじ部４４に螺合するように形成されたピストンヘッド４２の雌ねじ部４３からなる固定機構により、シャフトケース２０とピストンシャフト２１との間の相対的な移動を確実に停止し、ベローズ２４の圧縮をなさせることなくピストンヘッド４２がチャプレット１８に被着するので、容器本体１２内の液の流出を確実に防止し、かつベローズ２４の長期間に亘る圧縮に起因して操作性が低下するのを確実に防止することができる。
また、先の例と同様に、単にベローズ２４の圧縮力だけで吐出する場合に比べ、液溜め部１６ｂの容積が狭められる分だけ液が多く吐出することができる。
【００４２】
なお、本発明は前記例に限定されることなく、本発明の要旨を逸脱しない限り種々の変更が可能である。例えば、ベローズについても、図１、図６に示したようにその凸が数珠状に連続するのでなく、螺旋状に連続するようにしてもよい。また、吸い込み弁についても、ボール状のものなど従来公知の種々の形状のものが使用可能である。
また、第１連通孔２９の形成位置についても、ベローズ２４の上部側となるピストンベース２８にでなく、ベローズ２４の上部に直接形成するようにしてもよい。
また、特に図１に示した例においては、シャフトケース２０に下雌ねじ部２０ａと上雌ねじ部２０ｂとをこれらが連続しない状態に形成したが、これらを連続して一つの雌ねじ部としてもよい。
【００４３】
【発明の効果】
以上説明したように本発明のポンプユニットは、ベローズの上部あるいはその上部側に第１連通孔を設け、ピストン部に第２連通孔を設けたことにより、これら第１連通孔と第２連通孔とによってベローズとピストン部とをケース内を介して連通させ、これによりベローズに吸い込まれた液がベローズ内だけでなくその外のケース内にも溜められるようにしたものである。したがって、ケース内にも液を溜めた状態でピストン部を押圧することにより、ベローズ内の液を押し出すと同時に、ピストン部によりケース内の液を溜めている部分の容積を狭めることによってこの部分の液をも押し出すことができる。よって、単にベローズの圧縮力だけで吐出する場合に比べ、ケース内の容積が狭められる分だけ液が多く吐出することができ、これによりケースの外径寸法を太くすることなく、コスト上昇も抑えたままで吐出量を増やすことができる。
【００４４】
また、ピストン部に固定機構が設けるようにすれば、この固定機構によってシャフトケースとピストンシャフトとの間の相対的な移動が確実に停止し、ベローズの圧縮をなさせることなくピストンヘッドが容器本体側に被着するようになるので、容器本体内の液の流出を確実に防止し、またベローズの長期間に亘る圧縮に起因して操作性が低下するのを確実に防止することができる。
【００４５】
本発明の容器は、前記ポンプユニットを備えたものであるから、ベローズの外径を太くすることなく一回のピストン部押圧動作による液の吐出量を十分多くすることができ、さらには液の流出を防止し、またベローズの長期間に亘る圧縮に起因して操作性が低下するのも防止することができる。
【図面の簡単な説明】
【図１】  本発明のポンプユニットを備えた容器の一実施形態の概略構成を示す側断面図である。
【図２】  シャフトケースのチャプレットとの間の回り止めの機構を説明するための、断面視した要部平面図である。
【図３】  逆止弁をなす機構を説明するための図であり、（ａ）は閉じた状態を示す側断面図、（ｂ）は開いた状態を示す側断面図である。
【図４】  図１に示した容器の輸送時などの非使用時において液漏れを防止したときの状態を示す側断面図である。
【図５】  図１に示した容器の使用状態を説明するための側断面図である。
【図６】  本発明の別のポンプユニットを備えた容器の一実施形態の概略構成を示す側断面図である。
【図７】  図６に示した容器の輸送時などの非使用時において液漏れを防止したときの状態を示す側断面図である。
【符号の説明】
１０、４０…ポンプユニット、１１、４１…容器、１２…容器本体、
１６…ケース、１６ｂ…液溜め部、２０…シャフトケース、
２０ａ…下雌ねじ部、２１…ピストンシャフト、２１ａ…雄ねじ部、
２２、４２…ピストンヘッド、２３…吸い込みパイプ、２４…ベローズ、
２８…ピストンベース、２９…第１連通孔、３０…第２連通孔、
４３…雄ねじ部
【図１】
0004346857.tif 000002
【図２】
0004346857.tif 000003
【図３】
0004346857.tif 000004
【図４】
0004346857.tif 000005
【図５】
0004346857.tif 000006
【図６】
0004346857.tif 000007
【図７】
0004346857.tif 000008